【事件の表示】
　平成　５年特許願第　４０１３２号「内視鏡の送気・送水ノズル構造」拒絶査定に対する審判事件［平成　６年　９月１３日出願公開、特開平　６−２５４０３９］について、次のとおり審決する。
【結　論】
　本件審判の請求は、成り立たない。
【理　由】
１．手続の経緯・本願発明
　本願は、平成５年３月１日にされた特許出願であって、本願の請求項１に係る発明（以下、「本願発明」という。）は、平成１２年１月１１日付け手続補正書により補正された明細書及び図面の記載からみて、特許請求の範囲請求項１に記載された以下のとおりのものである。　
「内視鏡挿入部のキャップに係合されると共に、送気・送水口から供給される圧縮エア、若しくは液体を前記キャップに露出した対物レンズに向けて噴射する噴射口が形成された内視鏡の送気・送水ノズル構造に於いて、
　送気・送水ノズルを絶縁性部材で形成すると共に、該送気・送水ノズルの外周部に係合部が形成され、該係合部が前記キャップに形成された位置決め用係止部に取り外し自在に係合され、前記係合部が前記位置決め用係止部に係合されると、前記送気・送水ノズルの噴射口が前記対物レンズに向く位置に位置決めされることを特徴とする内視鏡の送気・送水ノズル構造。」　
２．引用例
　これに対し、当審における拒絶の理由で引用した実願昭５５−１０３１０８号（実開昭５７−２６２０１号）のマイクロフィルム（以下、「引用例１」という。）には、「先端構成部の本体に取付孔を設け、この取付孔に噴出ノズルを着脱自在に嵌挿するようにしたものにおいて、上記取付孔には係止部を形成する一方、上記噴出ノズルは弾性材料によって構成し、その周壁には、上記係止部に係合する係止片を突設するとともに周壁の弾性変形を容易にする切欠部を形成したことを特徴とする内視鏡。」（明細書１頁、実用新案登録請求の範囲）であり、「本考案は上記事情に着目してなされたもので、その目的とするところは、先端構成部に対して噴出ノズルを止めねじを用いずに容易に着脱することができるようにするとともに使用中に脱落するようなことなく確実に取着することができるようにした内視鏡を提供することにある。」（明細書３頁１〜６行）こと、「以下、本考案の一実施例を第１図乃至第４図を参照して説明する。図中１は後端に操作部２、先端に先端構成部３が設けられた内視鏡の可撓管部である。上記操作部２には送液送気用の操作ボタン４が設けられ、この操作ボタン４の操作により上記先端構成部３に後述するごとく設けられた噴出ノズル５から液体あるいは気体を選択的に噴出させることができるようになっている。
　上記先端構成部３は第２図に示すように構成されている。すなわち、図中６は本体であって、この本体６は上記可撓管部１の先端に取付け固定されている。本体６の先端面６ａには観察窓７や図示せぬ照明窓などが設けられ、上記観察窓７の近傍には送気パイプ８と送液パイプ９とが接続され内周壁に係止部１０ａが刻設された取付孔１０が穿設されている。上記送気パイプ８と送液パイプ９とは上記操作部２に導かれ、ここで上記操作ボタン４の操作により切換え操作される図示せぬ切換え機構に接続されている。」（明細書３頁７行〜４頁６行）こと、「上記観察窓７には最先端にカバーガラス１１が設けられ、このカバーガラス１１の内側には複数の結像レンズ１２・・・が設けられていて、観察視野の像を上記結像レンズ１２・・・に対向させた光学繊維束１３の先端面に結像させるようになっている。上記光学繊維束１３の後端面は、上記操作部２に設けられた接眼部１４に臨んでいる。」（明細書４頁７〜１４行）こと、「上記取付孔１０には上述した噴出ノズル５が着脱自在に取着されている。すなわち、この噴出ノズル５は、合成樹脂や金属などの弾性材料によって先端部分をほぼ直角に折曲し上記取付孔１０よりもわずかに小径なＬ字状の管体１５を構成し、この管体１５の周壁後端には係止片１６を垂直に突設し、さらに周壁後端部には上記係止片１６に対して周方向に９０度ずれた位置に管体１５の後端面に向つて次第に幅広くなりかつ後端面に開放した一対の切欠部１７，１７を切欠してなる。そして、上記噴出ノズル５は、その係止片１６を上記取付孔１０の係止部１０ａに係合させて取付孔１０に挿入され、上記係止片１６が係止部１０ａに係合することにより、噴出ノズル５の先端開口、すなわち噴出口５ａが上記観察窓７に対向しかつ本体６の先端面６ａから所定の突出位置となるよう位置決めされる。」（明細書４頁１５行〜５頁１１行）こと、「噴出ノズル５を取付孔１０に容易に着脱することができるから、噴出ノズル５の洗浄や修理交換を簡単かつ迅速に行なえる。しかも、噴出ノズル５は、その係止片１６が取付孔１０の係止部１０ａに係合して取付孔１０に取着されるから、この取付孔１０に確実に取付け固定され、使用中に脱落するような危険がない。」（明細書６頁３〜１０行）ことが、記載されている。
　また、当審における拒絶の理由で引用した実願昭５８−８７４４２号（実開昭５９−１９３４０１号）のマイクロフィルム（以下、「引用例２」という。）には、「本考案は、内視鏡の挿入管先端に嵌合する取り替えキャップに関し、該取り替えキャップは送気或は送水パイプのノズルを備え、該キャップを内視鏡の挿入管先端から取り替え可能とすることにより、上記ノズルの洗浄等を容易としたものである。」（明細書１頁１０〜１５行）こと、「観察窓の近くに送水パイプのノズルを設け、このノズルから観察窓に洗浄水を吹き付けて洗浄するようにしているが、洗浄水は、洗浄後、観察窓の表面に水滴として残り、視野の妨げとなるので、洗浄水を送水した後挿入管先端に別設された送気パイプのノズルから送気を行なって観察窓の表面に付いた水滴を除去するようにしている。」（明細書１頁２０行〜２頁７行）こと、「体腔内挿入管７の先端開口には、円柱形状の先端金物１０が嵌合固定されており、該先端金物１０の内端から外端にかけては所定の位置に通孔１２，１３，１４，１５，１６が配置されており、通孔１２，１３の内端側には、送気パイプ８，送水パイプ９が嵌入され、該通孔１２，１３の外端側には、接続パイプ１７，１８が嵌入され、送気パイプ８，送水パイプ９と接続パイプ１７，１８は、先端金物１０内で連通し、該接続パイプ１７，１８は、先端金物７の外端面から幾分突出している。また、通孔１４には両端部を先端金物１０の両端から幾分突出させた固定パイプ１９が嵌合固定されており、該固定パイプ１９の内端側には観察用光学繊維束２０の一端が嵌入され、中途部には、該観察用光学繊維束２０の端面に観察部位からの光を合焦させるための微小対物レンズ２１が組み込まれており、外端側にはフロントガラス２２が設けられている。」（明細書５頁１〜１８行）こと、「符号２５は、合成樹脂等で形成された取り替えキャップであり、該取り替えキャップ２５は、上記先端金物１０に取り外し可能に被嵌でき、該取り替えキャップ２５を上記先端金物１０に被嵌させると、該取り替えキャップ２５の内周面に形成された環状の凸部２６と上記先端金物１０の外周面に形成された環状の凹部２７とが第４図に示す如く嵌合し、取り替えキャップ２５を先端金物に被嵌固定する。
更に、該取り替えキャップ２５には第３図（ｂ）に示される如く、上記鉗子チャンネル用の通孔１５と一致する通孔２８及び上記先端金物１０の外端面より突出した固定パイプ１９，接続パイプ１７，１８が嵌合する通孔２９，３０，３１が形成されており、接続パイプ１７，１８が嵌入する通孔３０，３１には送気，送水用ノズル３２，３３が外方より嵌入され、先端金物１０に取り替えキャップ２５が上述の如く被嵌されると第４図に示す如く通孔１５には通孔２８が一致し、通孔２９，３０，３１には固定パイプ１９，接続パイプ１７，１８が嵌入し、接続パイプ１７，１８は通孔３０，３１内で送気，送水用ノズル３２，３３と連通する。尚、該送気，送水用ノズル３２，３３は第５図に示す如く取り替えキャップ２５と一体に成形しても良い。」（明細書６頁６行〜７頁１０行）こと、「本考案は上述の如く、合成樹脂等で形成された取り替えキャップと送気，送水用のノズルを一体化し、該取り替えキャップを先端金物に着脱自在に嵌合せしめたことから、送気，送水用のノズルに詰りが生じ、送気或は送水が不可能となった場合でも、内視鏡を分解してノズルの掃除を行なうような手間を掛ける必要がなく、取り替えキャップをそのまま新しいものと交換すればすぐに内視鏡の検査が行なえると共に取り替えキャップをはずせば簡単に送気，送水用ノズルの洗浄を行ない得る」（明細書７頁１１行〜８頁１行）ことが、記載されている。
　また、当審における拒絶の理由で引用した特開平４−１５８８２５号公報（以下、「引用例３」という。）には、「第１図又は第３図に示すように先端部１６を構成する先端部本体の端面３３には観察光を取入れる観察窓３４と、体腔壁等に光を照射する照明窓３５と、鉗子等の処置具を挿通可能なチャンネルであると共に、吸引することもできる吸引口３６と、観察窓３４の外表面に向かって開口するノズル３７とが突出して配設されている。通常、この観察窓３４には第１図に示すようにガラス板等が配設され、このガラス板の内側に対物光学系３８を構成するレンズセットが配置され、その後方にイメージガイドファイバ３９あるいは図示しないＣＣＤ等の固体撮像素子（第２図（ｂ）の場合）が配設されている。
　さらに、先端部１６の外周部に周溝部４０が設けられ、この周溝部４０より前方側に一段浅い段差部４１が設けられている。この段差部４１には弾性部材で形成された（先端）カバー４２の内面４３が着脱自在に嵌着され、カバー４２の開口端内面に設けられた凸部４４によって先端部１６の周溝部４０にクリックを持たせてある。また、カバー４２は、先端部１６の端面３３との間に間隙４５を有し、カバー４２に設けられた貫通孔４６，４７，４８，４９は、観察窓３４、吸引口３６、照明窓３５の先端面と対応して略同一平面になるように先端部６６に形成されている。」（３頁左上欄１７行〜左下欄１行）こと、「このような先端部１６の構造にすることにより、観察窓３４が汚れた際に、ノズル３７より送液、送気して、汚れを取り除き、送液、送気によって残った水を外周溝５１にためると同時に間隙５４を経由して連通孔５３より排水することができる排水ガイド手段を形成している。」（３頁左下欄７〜１２行）こと、「第１８図は本発明の第３実施例における内視鏡の先端側を示す。
　この第３実施例は、第１図に示す第１実施例において、カバー４２によってノズル３７’を形成している。つまり先端部１６に形成された送気、送水管路１２１の出口部分に接触するカバー４２には、この管路１２１に連通する孔を設け、且つこの孔の出口側を屈曲させてノズルにしている。
　この第３実施例の作用効果は第１実施例とほぼ同じであり、且つノズル３７’がつまった場合、カバー４２の交換で解消できる。」（６頁右下欄１行〜１１行）ことが記載されている。
　また、当審における拒絶の理由で引用した実願昭６１−１６４６号（実開昭６２−１１３５０１号）のマイクロフィルム（以下、「引用例４」という。）には、「内視鏡先端部に設けるノズルを電気絶縁材料によって形成したことを特徴とする内視鏡。」（明細書１頁、実用新案登録請求の範囲）であり、従来の技術では、「送気送水ノズルは、・・中略・・一般に金属パイプを加工したものが使われている。
　しかしながら、径内視鏡的に高周波焼灼処理をする場合、内視鏡の外方面に導体部分が露出していると、この露出部分から接触する体腔壁へ高周波電流が流れ込みこの体腔壁に火傷を起す危険性がある」（明細書１頁１６行〜２頁４行）こと、「さらに、上記送気送水ノズル１７の固定構造について説明を加えると、２０は先端構成部１１に穿設された送気送水路であり、この最先端部分はやや大径に形成されている。この大径部２０ａには金属製のパイプ２１が密に挿入され、さらに、このパイプ２１を介して合成樹脂材料などの電気的絶縁材料からなる上記ノズル１７が挿入されている。この送気送水ノズル１７の基部は送気送水路２０に連通している。また、この送気送水ノズル１７のノズル口１７ａは先端構成部１１の先端面から突出し、上記観察窓１２に対向している。
　なお、送気送水ノズル１７において先端構成部１１の先端から突出する部分１７ｂはその嵌合部１７ｃより大径に形成され、上記先端構成部１１の先端面に接合するとともに、上記パイプ２１の先端を覆っている。一方、先端構成部１１の側壁には上記大径部２０ａと直角方向にねじ孔２２が穿設され、このねじ孔２２には上記パイプ２１の側壁を押圧し、弾性変形させることによりこのパイプ２１とともに上記送気送水ノズル１７の嵌合部１７ｃを先端構成部１１に固定する固定ねじ２３が螺挿されている。そして、この固定ねじ２３の頭部はねじ孔２２に接着剤を介して圧入された絶縁栓２４によって閉鎖されている。
　上記のように構成することにより、送気送水ノズル１７は金属製パイプ２１を介して固定ねじ２３を介して締結されるが、それ自体電気絶縁材料で形成されているため、先端構成部１１に対しては電気的絶縁状態にある。なお、送気送水ノズル１７内が体液などにより詰ったり、また、破損して交換する場合には絶縁栓２４を取り外し、固定ねじ２３を弛緩することにより送気送水ノズル１７をパイプ２１とともに取り外すことができる。」（明細書４頁１６行〜６頁８行）こと、「本考案によれば、そのノズル自体を電気絶縁材によって形成したから、その電気絶縁性が高まり、安全性を向上できる。」（明細書８頁１３〜１５行）ことが、記載されている。
３．対比・判断
　そこで、本願発明と上記引用例２記載の発明とを対比すると、上記引用例２記載の発明の内視鏡のノズルは、送気用と送水用がそれぞれ設けられており、送気用と送水用のノズルを合わせて、本願発明の送気・送水ノズルに相当するので、両者はいずれも内視鏡の送気・送水ノズル構造に関する発明であり、上記引用例２記載の発明の「取り替えキャップ２５」、「送気パイプ８」と「送水パイプ９」を合わせた部分、「送気」される気体、「洗浄水」、「微小対物レンズ２１」部分は、それぞれ本願発明の「内視鏡挿入部のキャップ」、「送気・送水口」、「圧縮エア」、「液体」、「対物レンズ」部分に相当しているから、両者は、「内視鏡挿入部のキャップに装着されると共に、送気・送水口から供給される圧縮エア、若しくは液体を前記キャップに露出した部分に向けて噴射する噴射口が形成された内視鏡の送気・送水ノズル構造」の点で一致し、次の点で相違している。
　本願発明では、送気・送水ノズルの噴射口が向けられる部分が対物レンズであるのに対して、引用例２に記載の発明では、送気・送水ノズルの噴射口が向けられる部分がフロントガラスである点（以下、「相違点１」という。）、本願発明では、送気・送水ノズルを絶縁性部材で形成しているのに対して、引用例２に記載の発明では、送気・送水ノズルの材質については合成樹脂等との記載はあるものの絶縁性部材で形成しているとは記載されていない点（以下、「相違点２」という。）、本願発明では、送気・送水ノズルの外周部に係合部が形成され、該係合部が前記キャップに形成された位置決め用係止部に取り外し自在に係合され、前記係合部が前記位置決め用係止部に係合されると、前記送気・送水ノズルの噴射口が前記対物レンズに向く位置に位置決めされるのに対して、引用例２に記載の発明では、送気・送水ノズルがこのような構造になっていない点（以下、「相違点３」という。）。
　そこで、上記相違点について検討する。
相違点１について
　送気・送水ノズルの噴射口が向けられる部分は、引用例２に記載の発明ではフロントガラスであり、引用例２に記載の発明と同様にキャップに相当するカバーを有する引用例３に記載の発明では、観察窓であるが、いずれもその内側に対物レンズに相当するものを有している。このような対物レンズは、内側に設けられるばかりでなく、前記フロントガラスや観察窓に換えて内視鏡の先端部分に設けることができ、このことは当該技術分野の慣用技術である（この点、必要ならば、例えば、実願昭５６−７４５７６号（実開昭５７−１８７５０４号）のマイクロフィルム（例えば、第２図に注意）、実願昭６２−１０４３５７号（実開昭６４−９６０２号）のマイクロフィルム（例えば、第１図に注意）、実願昭６３−１６４２２５号（実開平２−８４６０１号）のマイクロフィルム（例えば、第１図に注意）、実願平１−４８５５５号（実開平２−１３９６０２号）のマイクロフィルム（例えば、第７図に注意）の記載を参照のこと）。
　したがって、上記引用例２又は３に記載の発明における送気・送水ノズルの噴射口が向けられる部分を、慣用技術である内視鏡の先端部分に設けられた対物レンズとすることは、当業者が適宜選択できた程度のことと認められる。
相違点２について
　引用例４には、送気・送水ノズルを合成樹脂材料などの電気的絶縁材料で構成することが記載されており、電気的絶縁材料は、本願発明の絶縁性部材に相当する。そして、引用例４に記載の絶縁性部材に相当するものは、本願発明と同じように体腔壁に火傷を起す危険性を避けるために設けられたものであるから、引用例１に記載の送気・送水ノズルの材料として、引用例４に記載のような絶縁性部材を用いることは、当業者が適宜なし得た程度のことと認められる。
相違点３について
　上記引用例１に記載の発明には、噴出ノズル（本願発明の送気・送水ノズル）の外周部に係止片（本願発明の係合部）が形成され、該係止片（係合部）が内視鏡の先端構成部に形成された係止部（本願発明の位置決め用係止部）に取り外し自在に係合され、前記係止片（係合部）が前記係止部（位置決め用係止部）に係合されると、前記送気・送水ノズルの噴射口が観察窓に向く位置に位置決めされることが、記載されている。
　そして、送気・送水ノズルの装着に際して、取り外し自在とするか否かは当業者の設計上の事項であるから、送気・送水ノズルをキャップに装着するにあたり、キャップ部分に上記引用例１に記載の発明のような位置決め用係止部を形成し、また、送気・送水ノズルの外周部にも、係合部を前記位置決め用係止部に取り外し自在に係合されるように形成し、前記係合部が前記位置決め用係止部に係合されると、前記送気・送水ノズルの噴射口が慣用技術である対物レンズに向く位置に位置決めされるようにする程度のことは、当業者が適宜なし得たことと認められる。
　また、本願発明の作用効果についても、当業者の予測を越えるものとは認められない。
４．むすび
　したがって、本願発明は、引用例１、２、３及び４に記載された発明並びに慣用技術に基づいて当業者が容易に発明することができたものであるから、特許法第２９条第２項の規定により特許を受けることができない。
　よって、結論のとおり審決する。